【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
ゴルフクラブヘッド用のフェースプレートを提供するための方法であって、
前記フェースプレートの内方板を提供するステップと、
前記フェースプレートの外方板を提供するステップと、
前記フェースプレートの中間部を提供するステップと、
前記内方板と前記外方板との間で前記中間部を結合するステップであって、
前記中間部の内方中間部端部が前記フェースプレートの前記内方板に対して結合され、
前記中間部の外方中間部端部が前記フェースプレートの前記外方板に対して結合されるように、結合するステップと、を含み、
前記中間部を提供するステップは、
前記中間部内にセル格子を提供するステップであって、前記セル格子は、複数のセルを画成する複数の壁部を備える、ステップを含み、
前記内方板と前記外方板との間で前記中間部を結合するステップの前では、
前記内方板は、αタイプ構造の第１の結晶構造を備え、
前記外方板は、前記αタイプ構造の第２の結晶構造を備え、
前記中間部は、前記αタイプ構造の中間部結晶構造を備え、
前記内方板と前記外方板との間で前記中間部を結合するステップは、
前記第１の結晶構造、前記第２の結晶構造、および前記中間部結晶構造をβタイプ構造へと変態させるステップであって、
前記中間部結晶構造が前記第１の結晶構造と結合され、
前記中間部結晶構造が前記第２の結晶構造と結合されるように、変態させるステップを含む、方法。
【請求項２】
前記中間部を結合するステップは、
接着剤または固定具を用いずに、前記内方板、前記中間部、および前記外方板を単一の一体材料片へと共に組み合わせるステップを含む、請求項１に記載の方法。
【請求項３】
前記単一の一体材料片は、前記内方板と前記中間部との間および前記中間部と前記外方板との間において、シームレスである、請求項２に記載の方法。
【請求項４】
前記中間部を結合するステップは、
高圧および高熱工程を使用した拡散接合により、前記内方板、前記中間部、および前記外方板を共に組み合わせるステップを含む、請求項２または３に記載の方法。
【請求項５】
前記中間部は、金属材料を含み、
前記内方板および前記外方板は、前記金属材料を含む、請求項１から４のいずれか一項に記載の方法。
【請求項６】
前記金属材料は、少なくとも約８％のアルミニウムを含むチタン合金を含む、請求項４または５に記載の方法。
【請求項７】
前記セル格子を提供するステップは、
前記内方中間部端部から前記外方中間部端部にかけて延在する前記セル格子を提供するステップを含む、請求項１から６のいずれか一項に記載の方法。
【請求項８】
前記中間部を提供するステップは、
前記中間部の中間部中央領域内に前記セル格子を形成するステップと、
前記中間部中央領域を囲み、前記セル格子を有さない、前記中間部の中間部周縁領域を提供するステップと、を含む、請求項１から７のいずれか一項に記載の方法。
【請求項９】
前記ゴルフクラブヘッドの前方端部に対して前記フェースプレートを結合するステップ
をさらに含み、
前記ゴルフクラブヘッドの前記前方端部に対して前記フェースプレートを結合する前記ステップは、
前記ゴルフクラブヘッドの前記前方端部を、
前記内方板の内方板周縁領域、または
前記外方板の外方板周縁領域
の少なくとも一方に対して結合するステップを含み、
前記内方板周縁領域および前記外方板周縁領域は、前記中間部中央領域において前記セル格子に接触することなく、前記中間部周縁領域に対して結合される、請求項８に記載の方法。
【請求項１０】
前記セル格子を提供するステップは、六角形形状、ダイヤモンド形状、矩形形状、円形形状、または三角形形状の中の少なくとも１つを有する複数のセルの中の１つまたは複数を提供するステップを含む、請求項１から９のいずれか一項に記載の方法。
【請求項１１】
前記セル格子を提供するステップは、
前記複数のセルの中の第１のセットの中のセルに第１の幾何学形状を与えるステップと、
前記複数のセルの中の第２のセットの中のセルに前記前記第１の幾何学形状とは異なる第２の幾何学形状を与えるステップと、
前記複数のセルの中の前記第２のセットを間に織り交ぜて前記複数のセルの前記第１のセットを提供するステップと、を含む、請求項１から１０のいずれか一項に記載の方法。
【請求項１２】
前記セル格子を提供する前記ステップは、前記複数のセルの中の１つまたは複数の中に１つまたは複数のサブセルを形成するステップを含む、請求項１から１１のいずれか一項に記載の方法。
【請求項１３】
前記セル格子を形成するステップは、アイソグリッドパターンで前記複数のセルを形成するステップを含む、請求項１から１２のいずれか一項に記載の方法。
【請求項１４】
前記セル格子を提供するステップは、
前記複数の壁部の中の２つ以上が共に結合する複数のセル連接部を提供するステップと、
前記複数のセル連接部の中の第１のセル連接部中に第１の連接部チャネルを形成するステップであって、前記第１の連接部チャネルは、前記内方中間部端部から前記外方中間部端部まで延在する、ステップと、を含む、請求項１から１３のいずれか一項に記載の方法。
【請求項１５】
前記セル格子を提供するステップは、
前記複数のセルの隣接し合うセル同士の間に横方向通路を備えるように、前記複数の壁部の第１の壁部を形成するステップを含む、請求項１から１４のいずれか一項に記載の方法。
【請求項１６】
前記セル格子を提供するステップは、
非一定の壁部寸法を有するように前記複数の壁部の第１の壁部を形成するステップを含む、請求項１から１５のいずれか一項に記載の方法。
【請求項１７】
前記セル格子を提供するステップは、
前記複数のセルの密度が前記フェースプレートの標的衝突領域に向かっては低くなり、第１のパターン、または
前記複数のセルのサイズが前記フェースプレートの前記標的衝突領域に向かっては小さくなる、第２のパターン
の少なくとも一方で前記複数のセルを形成するステップを含む、請求項１から１６のいずれか一項に記載の方法。
【請求項１８】
前記中間部を提供するステップは、
第１の中間部層および第２の中間部層を備える複数の中間部層を提供するステップを含み、
前記中間部内に前記セル格子を提供するステップは、
前記第１の中間部層を貫通する前記セル格子の第１の格子パターンを形成するステップと、
前記第２の中間部層を貫通する前記セル格子の第２の格子パターンを形成するステップと、を含み、
前記内方板と前記外方板との間で前記中間部を結合するステップは、
前記第１の中間部層および前記第２の中間部層を単一の材料片へと共に一体的に組み合わせるステップを含む、請求項１から１７のいずれか一項に記載の方法。
【請求項１９】
前記セル格子を提供するステップは、前記複数のセルの第１のセルを形成するステップを含み、
前記第１の中間部層を貫通する前記第１の格子パターンを形成するステップは、
前記第１の中間部層を貫通する第１の切欠部を形成するステップであって、前記第１の切欠部は、前記第１のセルの第１の容積部分を画成するように構成される、ステップを含み、
前記第２の中間部層を貫通する前記第２の格子パターンを形成するステップは、
前記第２の中間部層を貫通する第２の切欠部を形成するステップであって、前記第２の切欠部は、前記第１のセルの第２の容積部分を画成するように構成される、ステップを含む、請求項１８に記載の方法。
【請求項２０】
前記第２の切欠部を形成するステップは、
前記第１の切欠部とは異なる寸法を有するように前記第２の切欠部を形成するステップであって、前記異なる寸法は、異なる半径、異なる外周長、異なる面積、または異なる容積の中の少なくとも１つを含む、ステップを含む、請求項１９に記載の方法。
【請求項２１】
前記第１の中間部層および前記第２の中間部層を共に組み合わせるステップの前に、
前記セル格子を形成するステップは、
前記第１の切欠部および前記第２の切欠部が前記第１のセルの第１のセル軸を中心として配置されるように、前記第１の中間部層の上に前記第２の中間部層を位置合わせするステップを含む、請求項１９または２０に記載の方法。
【請求項２２】
前記セル格子を提供するステップは、前記複数のセルの第１のセルを形成するステップを含み、
前記第１の中間部層を貫通する前記第１の格子パターンを形成するステップは、
前記第１の中間部層を貫通する第１の切欠部を形成するステップであって、前記第１の切欠部は、前記第１のセルの第１の容積部分を画成するように構成される、ステップを含み、
前記第１の中間部層および前記第２の中間部層を共に組み合わせるステップの前に、
前記第２の中間部層を貫通する前記セル格子の前記第２の格子パターンを形成する前記ステップが、
前記第２の中間部層を貫通する第２の切欠部を形成するステップであって、前記第２の切欠部は、前記セル格子の第２のセルの第２の容積部分を画成するように構成される、ステップを含み、
前記セル格子を提供するステップが、
前記第２の中間部層の上に前記第１の中間部層を位置合わせするステップであって、
前記第１のセルおよび前記第２のセルが相互に対してオフセットされ、
前記第２のセルが前記第１の中間部層の中実部分により少なくとも部分的に覆われ、
前記第１のセルが前記第２の中間部層の中実部分により少なくとも部分的に覆われるように、位置合わせするステップをさらに含む、請求項１８に記載の方法。
【手続補正２】
【補正対象書類名】明細書
【補正対象項目名】００７６
【補正方法】変更
【補正の内容】
【００７６】
さらに、本明細書において説明される実施形態および限定は、それらの実施形態および／または限定が、（１）特許請求の範囲において明確には特許請求されないが、（２）均等論の下では特許請求の範囲に明言された要素および／または限定の均等物であるかあるいは潜在的均等物である場合には、共有の原則の下で公有に属するものにはならない。
以下に本明細書の特徴を示す。
（特徴１）
ゴルフクラブヘッド用のフェースプレートを提供するための方法であって、
前記フェースプレートの内方板を提供するステップと、
前記フェースプレートの外方板を提供するステップと、
前記フェースプレートの中間部を提供するステップと、
前記内方板と前記外方板との間に前記中間部を囲むステップと、を含み、
前記中間部を提供するステップは、
第１の中間部層および第２の中間部層を備える複数の中間部層を提供するステップと、
前記第１の中間部層を貫通する第１の格子パターンを形成するステップと、
前記第２の中間部層を貫通する第２の格子パターンを形成するステップと、を含み、
前記内方板、前記外方板、および前記中間部層を提供するステップは、
前記中間部、前記内方板、または前記外方板のそれぞれを別個の異なる片として提供するステップを含み、
前記中間部を囲むステップは、
前記第１の中間部層および前記第２の中間部層を含めて、前記内方板、前記中間部、および前記外方板を共に拡散接合して単一の一体材料片にするステップであって、前記単一の一体材料片は、前記内方板と前記中間部との間が、および前記中間部と前記外方板との間が、実質的にシームレスである、ステップを含み、
拡散接合するステップの後に、
前記中間部の中間部中央領域は、セル格子を備え、
前記セル格子は、六角形パターンで複数のセルを画成する複数の壁部を備え、
前記セル格子の前記複数の壁部および前記複数のセルは、前記第１の格子パターンおよび前記第２の格子パターンにより少なくとも部分的に画定され、
前記セル格子は、前記フェースプレートの前記内方板と前記外方板との間で完全に囲まれ、
前記中間部の中間部周縁領域が、前記中間部中央領域を囲み、前記セル格子を有さず、
前記第１の中間部層を貫通する前記第１の格子パターンを形成するステップは、
前記第１の中間部層を貫通する第１の切欠部を形成するステップであって、前記第１の切欠部は、前記セル格子の第１のセルの第１の容積部分を画成するように構成される、ステップを含み、
前記第２の中間部層を貫通する前記第２の格子パターンを形成するステップは、
前記第２の中間部層を貫通する第２の切欠部を形成するステップであって、前記第２の切欠部は、前記第１のセルの第２の容積部分を画成ように構成される、ステップを含み、
前記中間部を囲むステップは、
前記第１の切欠部および前記第２の切欠部が前記第１のセルの第１のセル軸を中心として配置されるように、前記第１の中間部層を覆って前記第２の中間部層を位置合わせするステップを含む、方法。
（特徴２）
前記中間部を囲むステップは、アイソグリッドパターンで前記複数のセルを形成するステップを含み、
前記内方板、前記中間部、および前記外方板を共に拡散接合するステップは、
高圧および高熱工程により、前記内方板と前記中間部と前記外方板との間の界面を共に結合するステップを含み、
前記内方板、前記外方板、および前記中間部を提供するステップは、
αタイプ結晶構造を有するチタン合金をそれぞれが含むように前記中間部、前記内方板、および前記外方板を提供するステップを含み、
前記内方板、前記中間部、および前記外方板を共に拡散接合するステップは、
前記中間部、前記内方板、および前記外方板の前記αタイプ結晶構造をβタイプ結晶構造へと変態させて、前記中間部、前記内方板、および前記外方板を共に結合させるステップであって、
前記αタイプ結晶構造は、六角形結晶相を備え、
前記βタイプ結晶構造は、体心立方結晶相を備える、ステップを含む、特徴１に記載の方法。
（特徴３）
ゴルフクラブヘッド用のフェースプレートを提供するための方法であって、
前記フェースプレートの内方板を提供するステップと、
前記フェースプレートの外方板を提供するステップと、
前記フェースプレートの中間部を提供するステップと、
前記内方板と前記外方板との間で前記中間部を結合するステップであって、
前記中間部の内方中間部端部が前記フェースプレートの前記内方板に対して結合され、
前記中間部の外方中間部端部が前記フェースプレートの前記外方板に対して結合されるように、結合するステップと、を含み、
前記中間部を提供するステップは、
前記中間部内にセル格子を提供するステップであって、前記セル格子は、複数のセルを画成する複数の壁部を備える、ステップを含む、方法。
（特徴４）
前記中間部を結合するステップは、
接着剤または固定具を用いずに、前記内方板、前記中間部、および前記外方板を単一の一体材料片へと共に組み合わせるステップを含む、特徴３に記載の方法。
（特徴５）
前記単一の一体材料片は、前記内方板と前記中間部との間および前記中間部と前記外方板との間において、シームレスである、特徴４に記載の方法。
（特徴６）
前記中間部を結合するステップは、
高圧および高熱工程を使用した拡散接合により、前記内方板、前記中間部、および前記外方板を共に組み合わせるステップを含む、特徴４または５に記載の方法。
（特徴７）
前記中間部層は、金属材料を含み、
前記内方板および前記外方板は、前記金属材料を含む、特徴３から６のいずれか一項に記載の方法。
（特徴８）
前記金属材料は、少なくとも約８％のアルミニウムを含むチタン合金を含む、特徴６または７に記載の方法。
（特徴９）
前記内方板と前記外方板との間で前記中間部を結合するステップの前に、
前記内方板は、αタイプ構造の第１の結晶構造を備え、
前記外方板は、前記αタイプ構造の第２の結晶構造を備え、
前記中間部は、前記αタイプ構造の中間部結晶構造を備え、
前記内方板と前記外方板との間で前記中間部を結合するステップは、
前記第１の結晶構造、前記第２の結晶構造、および前記中間部結晶構造をβタイプ構造へと変態させるステップであって、
前記中間部結晶構造が前記第１の結晶構造と結合され、
前記中間部結晶構造が前記第２の結晶構造と結合されるように、変態させるステップを含む、特徴３から８のいずれか一項に記載の方法。
（特徴１０）
前記セル格子を提供するステップは、
前記内方中間部端部から前記外方中間部端部にかけて延在する前記セル格子を提供するステップを含む、特徴３から９のいずれか一項に記載の方法。
（特徴１１）
前記中間部を提供するステップは、
前記中間部の中間部中央領域内に前記セル格子を形成するステップと、
前記中間部中央領域を囲み、前記セル格子を有さない、前記中間部の中間部周縁領域を提供するステップと、を含む、特徴３から１０のいずれか一項に記載の方法。
（特徴１２）
前記ゴルフクラブヘッドの前方端部に対して前記フェースプレートを結合するステップ
をさらに含み、
前記ゴルフクラブヘッドの前記前方端部に対して前記フェースプレートを結合する前記ステップは、
前記ゴルフクラブヘッドの前記前方端部を、
前記内方板の内方板周縁領域、または
前記外方板の外方板周縁領域
の少なくとも一方に対して結合するステップを含み、
前記内方板周縁領域および前記外方板周縁領域は、前記中間部中央領域において前記セル格子に接触することなく、前記中間部周縁領域に対して結合される、特徴１１に記載の方法。
（特徴１３）
前記セル格子を提供するステップは、六角形形状、ダイヤモンド形状、矩形形状、円形形状、または三角形形状の中の少なくとも１つを有する複数のセルの中の１つまたは複数を提供するステップを含む、特徴３から１２のいずれか一項に記載の方法。
（特徴１４）
前記セル格子を提供するステップは、
前記複数のセルの中の第１のセットの中のセルに第１の幾何学形状を与えるステップと、
前記複数のセルの中の第２のセットの中のセルに前記前記第１の幾何学形状とは異なる第２の幾何学形状を与えるステップと、
前記複数のセルの中の前記第２のセットを間に織り交ぜて前記複数のセルの前記第１のセットを提供するステップと、を含む、特徴３から１３のいずれか一項に記載の方法。
（特徴１５）
前記セル格子を提供する前記ステップは、前記複数のセルの中の１つまたは複数の中に１つまたは複数のサブセルを形成するステップを含む、特徴３から１４のいずれか一項に記載の方法。
（特徴１６）
前記セル格子を形成するステップは、アイソグリッドパターンで前記複数のセルを形成するステップを含む、特徴３から１５のいずれか一項に記載の方法。
（特徴１７）
前記セル格子を提供するステップは、
前記複数の壁部の中の２つ以上が共に結合する複数のセル連接部を提供するステップと、
前記複数のセル連接部の中の第１のセル連接部中に第１の連接部チャネルを形成するステップであって、前記第１の連接部チャネルは、前記内方中間部端部から前記外方中間部端部まで延在する、ステップと、を含む、特徴３から１６のいずれか一項に記載の方法。
（特徴１８）
前記セル格子を提供するステップは、
前記複数のセルの隣接し合うセル同士の間に横方向通路を備えるように、前記複数の壁部の第１の壁部を形成するステップを含む、特徴３から１７のいずれか一項に記載の方法。
（特徴１９）
前記セル格子を提供するステップは、
非一定の壁部寸法を有するように前記複数の壁部の第１の壁部を形成するステップを含む、特徴３から１８のいずれか一項に記載の方法。
（特徴２０）
前記セル格子を提供するステップは、
前記複数のセルの密度が前記フェースプレートの標的衝突領域に向かっては低くなり、第１のパターン、または
前記複数のセルのサイズが前記フェースプレートの前記標的衝突領域に向かっては小さくなる、第２のパターン
の少なくとも一方で前記複数のセルを形成するステップを含む、特徴３から１９のいずれか一項に記載の方法。
（特徴２１）
前記中間部を提供するステップは、
第１の中間部層および第２の中間部層を備える複数の中間部層を提供するステップを含み、
前記中間部内に前記セル格子を提供するステップは、
前記第１の中間部層を貫通する前記セル格子の第１の格子パターンを形成するステップと、
前記第２の中間部層を貫通する前記セル格子の第２の格子パターンを形成するステップと、を含み、
前記内方板と前記外方板との間で前記中間部を結合するステップは、
前記第１の中間部層および前記第２の中間部層を単一の材料片へと共に一体的に組み合わせるステップを含む、特徴３から２０のいずれか一項に記載の方法。
（特徴２２）
前記セル格子を提供するステップは、前記複数のセルの第１のセルを形成するステップを含み、
前記第１の中間部層を貫通する前記第１の格子パターンを形成するステップは、
前記第１の中間部層を貫通する第１の切欠部を形成するステップであって、前記第１の切欠部は、前記第１のセルの第１の容積部分を画成するように構成される、ステップを含み、
前記第２の中間部層を貫通する前記第２の格子パターンを形成するステップは、
前記第２の中間部層を貫通する第２の切欠部を形成するステップであって、前記第２の切欠部は、前記第１のセルの第２の容積部分を画成するように構成される、ステップを含む、特徴２１に記載の方法。
（特徴２３）
前記第２の切欠部を形成するステップは、
前記第１の切欠部とは異なる寸法を有するように前記第２の切欠部を形成するステップであって、前記異なる寸法は、異なる半径、異なる外周長、異なる面積、または異なる容積の中の少なくとも１つを含む、ステップを含む、特徴２２に記載の方法。
（特徴２４）
前記第１の中間部層および前記第２の中間部層を共に組み合わせるステップの前に、
前記セル格子を形成するステップは、
前記第１の切欠部および前記第２の切欠部が前記第１のセルの第１のセル軸を中心として配置されるように、前記第１の中間部層の上に前記第２の中間部層を位置合わせするステップを含む、特徴２２または２３に記載の方法。
（特徴２５）
前記セル格子を提供するステップは、前記複数のセルの第１のセルを形成するステップを含み、
前記第１の中間部層を貫通する前記第１の格子パターンを形成するステップは、
前記第１の中間部層を貫通する第１の切欠部を形成するステップであって、前記第１の切欠部は、前記第１のセルの第１の容積部分を画成するように構成される、ステップを含み、
前記第１の中間部層および前記第２の中間部層を共に組み合わせるステップの前に、
前記第２の中間部層を貫通する前記セル格子の前記第２の格子パターンを形成する前記ステップが、
前記第２の中間部層を貫通する第２の切欠部を形成するステップであって、前記第２の切欠部は、前記セル格子の第２のセルの第２の容積部分を画成するように構成される、ステップを含み、
前記セル格子を提供するステップが、
前記第２の中間部層の上に前記第１の中間部層を位置合わせするステップであって、
前記第１のセルおよび前記第２のセルが相互に対してオフセットされ、
前記第２のセルが前記第１の中間部層の中実部分により少なくとも部分的に覆われ、
前記第１のセルが前記第２の中間部層の中実部分により少なくとも部分的に覆われるように、位置合わせするステップをさらに含む、特徴２１に記載の方法。
（特徴２６）
ゴルフクラブヘッド用のフェースプレートであって、
内方板と、
外方板と、
中間部であって、
前記内方板に対して結合された内方中間部端部、
前記外方板に対して結合された外方中間部端部、および
前記内方中間部端部と前記外方中間部端部との間に複数のセルを画成する複数の壁部を備えるセル格子を備える、中間部と、を備える、フェースプレート。
（特徴２７）
フェースプレート中央領域と、
前記フェースプレート中央領域と前記フェースプレートの外周部との間のフェースプレート周縁領域と、をさらに備え、
前記内方板は、第１の結晶構造を備え、
前記外方板は、第２の結晶構造を備え、
前記中間部は、中間部結晶構造を有する複数の中間部層を備え、
前記内方板、前記外方板、および前記中間部は、前記複数の中間部層と共に、単一の材料片を構成し、
前記中間部は、金属材料を含み、
前記内方板および前記外方板は、前記金属材料を含み、
前記セル格子は、前記フェースプレート周縁領域内に延在することなく、前記フェースプレート中央領域内に位置し、
前記セル格子は、前記複数の壁部により画定された六角形パターンを備える、特徴２６に記載のフェースプレート。
（特徴２８）
前記金属材料は、少なくとも約８％のアルミニウムを含むチタン合金を含み、
前記第１の結晶構造、前記第２の結晶構造、および前記中間部結晶構造は、体心立方結晶相を有するβタイプ構造を備え、
前記セル格子は、前記複数の壁部および前記複数のセルにより画定されるアイソグリッドパターンを備える、特徴２７に記載のフェースプレート。